(57)【要約】【課題】使用及び運搬に適した、スタンドを提供する。【解決手段】主軸１０と、主軸に固定された第１脚部２０と、主軸を中心に回転可能、かつ、主軸に沿って摺動可能な第２脚部３０と、主軸を中心に回転可能な支持部４０と、支持部の回転を抑止する支持部回転抑止手段と、第２脚部の回転を抑止する脚部回転抑止手段と、第２脚部の摺動を抑止する脚部摺動抑止手段とを備えて構成される。【選択図】図１
2019002440.tif 000002
【特許請求の範囲】
【請求項１】
主軸と、
前記主軸に固定された第１脚部と、
前記主軸を中心に回転可能、かつ、前記主軸に沿って摺動可能な第２脚部と、
前記主軸を中心に回転可能な支持部と、
前記支持部の回転を抑止する支持部回転抑止手段と、
前記第２脚部の回転を抑止する脚部回転抑止手段と、
前記第２脚部の摺動を抑止する脚部摺動抑止手段と
を備えるスタンド。
【請求項２】
前記主軸は、略円柱状であり、
前記第１脚部は、前記主軸の径方向に突出する第１板状部と、前記主軸が貫通する第１円筒部とを備え、
前記第２脚部は、前記主軸の径方向に突出する第２板状部と、前記主軸が貫通する第２円筒部とを備え、
前記支持部は、前記主軸の径方向に突出する支持用板状部と、前記支持用板状部の長手方向の一端側に、それぞれ、前記主軸が貫通する第１回転用板状部及び第２回転用板状部とを備え、
前記支持部回転抑止手段は、前記第２円筒部の前記第１回転用板状部に接する面と、前記第１回転用板状部の前記第２円筒部に接する面に、互いに嵌合可能に設けられた冠歯車で構成され、
前記脚部回転抑止手段は、前記主軸に設けられたスリットと、前記第２円筒部に設けられ、先端が前記スリットに差し込まれた状態、及び、差し込まれていない状態を取りうるピンとで構成され、
前記脚部摺動抑止手段は、前記主軸の端部に取り付けられる封止ピンで構成され、前記封止ピンが、前記冠歯車を嵌合した状態を維持するように固定される
ことを特徴とする請求項１に記載のスタンド。
【請求項３】
前記主軸の両端付近に、前記第１脚部、前記第２脚部及び前記支持部の組をそれぞれ備える
ことを特徴とする請求項１又は２に記載のスタンド。
【発明の詳細な説明】
【技術分野】
【０００１】
この発明は、鏡などを載置するのに用いて好適な、スタンドに関する。
【背景技術】
【０００２】
洗面台や風呂場等の湿度の高い場所、又は、暗所での鏡面の視認性を確保するために、鏡面の結露防止手段、及び、照明手段として、背面にＬＥＤを備えている鏡の提案がなされている（例えば、特許文献１参照）。
【先行技術文献】
【特許文献】
【０００３】
【特許文献１】特許第５８７７９２１号公報
【発明の概要】
【発明が解決しようとする課題】
【０００４】
上述の照明手段を備える鏡は、これまで、室内の壁面等に固定して用いられているが、鏡の用途によっては、テレビ、映画などの撮影現場でのメーキャップなど、屋外での使用が求められることがある。
【０００５】
しかしながら、これまで、上述の照明手段を備える鏡を載置するスタンドで、使用及び運搬に適したものは知られていない。
【０００６】
この発明は、上述の問題点に鑑みてなされたものであり、この発明の目的は、使用及び運搬に適した、スタンドを提供することにある。
【課題を解決するための手段】
【０００７】
上述した目的を達成するために、この発明のスタンドは、主軸と、主軸に固定された第１脚部と、主軸を中心に回転可能、かつ、主軸に沿って摺動可能な第２脚部と、主軸を中心に回転可能な支持部と、支持部の回転を抑止する支持部回転抑止手段と、第２脚部の回転を抑止する脚部回転抑止手段と、第２脚部の摺動を抑止する脚部摺動抑止手段とを備えて構成される。
【０００８】
この発明のスタンドの好適実施例によれば、主軸は、略円柱状であり、第１脚部は、主軸の径方向に突出する第１板状部と、主軸が貫通する第１円筒部とを備え、第２脚部は、主軸の径方向に突出する第２板状部と、主軸が貫通する第２円筒部とを備え、支持部は、主軸の径方向に突出する支持用板状部と、支持用板状部の長手方向の一端側に、それぞれ、主軸が貫通する第１回転用板状部及び第２回転用板状部とを備えて構成される。また、支持部回転抑止手段は、第２円筒部の第１回転用板状部に接する面と、第１回転用板状部の第２円筒部に接する面に、互いに嵌合可能に設けられた冠歯車で構成され、脚部回転抑止手段は、主軸に設けられたスリットと、第２円筒部に設けられ、先端がスリットに差し込まれた状態、及び、差し込まれていない状態を取りうるピンとで構成され、脚部摺動抑止手段は、主軸の端部に取り付けられる封止ピンで構成され、封止ピンが、冠歯車を嵌合した状態を維持するように固定される。
【発明の効果】
【０００９】
この発明のスタンドによれば、支持部に鏡等の重量物を載せた場合でも、支持部が回転せずに、安定して使用することができる。また、第１脚部、第２脚部及び支持部が同一方向に突出するように固定することでスタンド自体がコンパクトに折り畳まれるので、収容や運搬が容易になる。
【図面の簡単な説明】
【００１０】
【図１】この発明のスタンドの模式図である。
【図２】この発明のスタンドの切断端面を示す模式図（１）である。
【図３】この発明のスタンドの切断端面を示す模式図（２）である。
【図４】この発明のスタンドの切断端面を示す模式図（３）である。
【発明を実施するための形態】
【００１１】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００１２】
(構成)
図１〜４を参照して、この発明のスタンドについて説明する。図１は、この発明のスタンドの模式図である。図２〜４は、この発明のスタンドの切断端面を示す模式図である。図２（Ａ）、図３（Ａ）及び図４は、この発明のスタンドを、主軸の長手方向に沿った面で切った切り口を示す。図２（Ｂ）及び図３（Ｂ）は、主軸及び第２脚部を、主軸の長手方向に直交する面で切った切り口を示す。なお、各図において、この発明のスタンドの構成要素の一部を省略する場合がある。
【００１３】
この発明のスタンドは、主軸１０と、第１脚部２０と、第２脚部３０と、支持部４０とを備えて構成される。
【００１４】
主軸１０は、略円筒状である。主軸１０の両端付近に、第１脚部２０、第２脚部３０及び支持部４０の組がそれぞれ設けられている。なお、各図において、主軸１０の径が異なる箇所がある。この構成については、１つの円筒の側面を削るなどして形成してもよいし、１つの円筒の外側に他の円筒を設けるなど、２以上の部品で形成してもよい。
【００１５】
第１脚部２０は、互いに固定された第１板状部２２と第１円筒部２４とを備えている。第１板状部２２は、主軸１０の径方向に突出するように設けられる。主軸１０は、第１円筒部２４を貫通するように設けられる。第１円筒部２４を貫通する部分において、主軸１０の長手方向に直交する面の切り口をみると、主軸１０と、第１円筒部２４とは、ほぼ同心円となる。第１脚部２０は、主軸１０に固定されている。
【００１６】
第２脚部３０は、互いに固定された第２板状部３２と第２円筒部３４とを備えている。第２板状部３２は、第１板状部２２と同様に主軸１０の径方向に突出するように設けられる。主軸１０は、第２円筒部３４を貫通するように設けられる。第２円筒部３４を貫通する部分において、主軸１０の長手方向に直交する面の切り口をみると、主軸１０と、第２円筒部３４とは、ほぼ同心円となる。第２脚部３０は、主軸１０を中心に回転可能、かつ、主軸１０に沿って摺動可能に設けられる。
【００１７】
第２円筒部３４の側面には、主軸１０が貫通する中空部３６に達する開口３８が設けられている。この開口３８にはピン５２が取り付けられている。ピン５２は、先端が中空部３６に達する状態と、先端が第２円筒部３４の側壁３５の開口部３８内に位置する状態とを取りうる。
【００１８】
主軸１０の第２脚部３０が取り付けられる位置には、スリット１２が設けられている。第２脚部３０に取り付けられているピン５２は、先端が中空部３６に達する状態では、スリット１２内に位置する。ピン５２がスリット１２内に位置する状態では、第２脚部３０の主軸１０を中心とする回転が抑止される。つまり、第２脚部３０に取り付けられているピン５２と、主軸１０に設けられているスリット１２とで、脚部回転抑止手段が構成される。ピン５２を引き抜いた状態では、第２脚部３０が主軸１０を中心として回転可能であり（図２）、ピン５２を押し込んだ状態では、第２脚部３０の回転が抑止される（図３）。
【００１９】
支持部４０は、支持用板状部４２と、第１回転用板状部４４及び第２回転用板状部４６とを備えて構成される。支持用板状部４２は、主軸１０の径方向に突出するように設けられている。第１回転用板状部４４及び第２回転用板状部４６は、それぞれ、支持用板状部４２の長手方向に沿った辺である２本の長辺の一端側に、支持用板状部４２の幅方向に直交するように設けられている。第１回転用板状部４４及び第２回転用板状部４６には、それぞれ、円柱状の主軸１０が貫通する開口が形成されている。第１回転用板状部４４及び第２回転用板状部４６の開口に主軸１０を貫通させる構成により、支持部４０は、主軸１０に対して回転可能となる。
【００２０】
支持用板状部４２の幅は、第１脚部２０の第１円筒部２４の高さ（主軸に沿った方向の長さ）にほぼ等しく、第１回転用板状部４４及び第２回転用板状部４６は、第１円筒部２４を挟む位置に配置される。この構成により、支持部４０の主軸１０に沿った方向の位置が固定される。
【００２１】
主軸１０の第２脚部３０が取り付けられる位置に設けられるスリット１２は、例えば、主軸１０に沿った方向に長い楕円状又は長方形状に設けられている。このためピン５２を押し込んだ状態では、第２脚部３０の回転が抑止されるが、この状態でも、スリット１２の長さの範囲内で、第２脚部３０は、主軸１０に沿った方向に摺動可能である（図３）。
【００２２】
第２円筒部３４の、第１回転用板状部４４と接する面３４ａと、第１回転用板状部４４の第２円筒部３４と接する面４４ａには、互いに嵌合可能に設けられた冠歯車が設けられている。これら２つの冠歯車が、支持部回転抑止手段を構成する。
【００２３】
これら冠歯車は、第２円筒部３４および第１回転用板状部４４と一体に構成してもよいし、第２円筒部３４および第１回転用板状部４４とは別に形成し、ねじ止め等により接合してもよい。
【００２４】
なお、第２脚部３０に対する支持部４０の、設定可能な角度を増やす、すなわち、より細かく角度を変更したい場合には、冠歯車の歯の数を多く設けておけばよい。
【００２５】
図４に示すような、第２脚部３０が第１脚部２０及び支持部４０に最も近い支持部固定状態では、第２脚部３０の第２円筒部３４と、支持部４０の第１回転用板状部４４が接する。支持部固定状態では、２つの冠歯車が嵌合しており、支持部４０の回転が抑止される。
【００２６】
一方、図３（Ａ）に示すような、第２脚部３０が第１脚部２０及び支持部４０から離れた位置にある支持部開放状態では、第２脚部３０の第２円筒部３４と、支持部４０の第１回転用板状部４４が離間する。支持部開放状態では、主軸１０を中心として支持部４０を回転させることができる。
【００２７】
また、図４に示すように、主軸１０の端部には、脚部摺動抑止手段として封止ピン５４が取り付けられている。封止ピン５４が主軸に固定されると、第２脚部３０の第２円筒部３４が、支持部４０の第１回転用板状部４４に押し付けられ、支持部固定状態となる。このとき、第２脚部３０の主軸１０に沿った方向の摺動が抑止される。一方、封止ピン５４が主軸１０から外されると、支持部開放状態となる。
【００２８】
なお、封止ピン５４には、第２円筒部３４が第１回転用板状部４４に押し付けられるように、内部にバネを備えるのが良い。このバネにより第２円筒部３４が第１回転用板状部４４に押し付けられる構成にすれば、支持部４０に鏡等の重量物を載せた場合でも、支持部４０が回転せずに、安定して使用することができる。
【００２９】
また、第１板状部２２、第２板状部３２及び支持用板状部４２が同一方向になるように固定することでスタンドがコンパクトに折り畳まれるので、収容や運搬が容易になる。
【００３０】
（使用方法）
図２〜４を参照して、この発明のスタンドの使用方法の一例を説明する。
【００３１】
先ず、図２（Ａ）及び（Ｂ）に示すように、封止ピン５４が主軸１０から外され、かつ、第２脚部３０のピン５２を引き抜いた状態で、第２脚部３０を回転させる。第２脚部３０の回転により、第１脚部２０の第１板状部２２と、第２脚部３０の第２板状部３２の、それぞれの主表面の、設置面側の面を同一平面にする。
【００３２】
その状態で、図３（Ａ）及び（Ｂ）に示すように、第２脚部３０のピン５２を押し込み、第２脚部３０の回転を抑止する。
【００３３】
次に、支持部４０を回転させて所望の角度にする。その状態で、図４に示すように、第２脚部３０を支持部４０側に移動させて、冠歯車を互いに嵌合させる。その後、封止ピン５４を主軸１０に固定して、支持部固定状態とする。
【００３４】
これでスタンドが使用可能状態となるので、支持部４０に、鏡等を載置して使用する。鏡などを載置して固定するために、支持用板状部４２には、ピンやスリットなど、任意好適な支持対象物固定手段を備えていても良い。
【００３５】
使用中に、支持部４０の角度を変更する場合は、封止ピン５４を外して、支持部開放状態とし、主軸１０を回転軸として支持部４０を周方向に移動させて、所望の角度にした後、封止ピン５４を主軸に固定して、支持部固定状態とすればよい。
【００３６】
スタンドの収容時、あるいは、運搬時は、鏡などの支持対象物を取り外した状態で、封止ピン５４を取り外し、上記使用時と同様の手順でスタンドを畳めばよい。
【００３７】
主軸１０に設けられたスリット１２は、主軸１０の中心線に沿って反対側に、２つ設けておくのが良い。一方のスリットが、スタンドの使用時に、第１板状部２２と第２板状部３２の角度をほぼ１８０度にした状態で第２脚部の回転を抑止するのに用いられ、他方のスリットが、スタンドの収容時、あるいは、運搬時に、第１板状部２２と第２板状部３２の角度をほぼ０度にした状態で第２脚部の回転を抑止するのに用いられる。
【００３８】
（実施例）
なお、スタンドの使用時には第１板状部と、第２板状部の、それぞれの主表面の、設置面側の面が、同一平面になるが、設置面が平面であるとは限らない。そのため、第１板状部と、第２板状部の、それぞれの主表面の、設置面側の面には、高さ調整用の補助脚を備えるのが良い。
【００３９】
また、支持部開放状態では、封止ピンが主軸から取り外されるが、必ずしも、物理的に、封止ピンと主軸が離間する必要は無い。例えば、封止ピンがいわゆるねじ止めで主軸に固定される場合、第２脚部が軸に沿って摺動可能な程度に封止ピンのねじが緩められれば良い。
【００４０】
ここでは、スタンドが鏡を載置する例を主に説明したが、スタンドに載置されるものはこれに限定されない。液晶パネルなど、板状のものを載置することができる。
【符号の説明】
【００４１】
１０    主軸    
１２    スリット
２０    第１脚部
２２    第１板状部
２４    第１円筒部    
３０    第２脚部
３２    第２板状部
３４    第２円筒部    
４０    支持部
４２    支持用板状部
４４    第１回転用板状部
４６    第２回転用板状部
５２    ピン
５４    封止ピン    
【図１】
2019002440.tif 000003
【図２】
2019002440.tif 000004
【図３】
2019002440.tif 000005
【図４】
2019002440.tif 000006
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
主軸と、
前記主軸に固定された第１脚部と、
前記主軸を中心に回転可能、かつ、前記主軸に沿って摺動可能な第２脚部と、
前記主軸を中心に回転可能な支持部と、
前記支持部の回転を抑止する支持部回転抑止手段と、
前記第２脚部の回転を抑止する脚部回転抑止手段と、
前記第２脚部の摺動を抑止する脚部摺動抑止手段と
を備え、
前記第２脚部及び前記支持部が、前記主軸に対して回転可能な状態、
前記第２脚部の前記主軸に対する回転が抑止され、かつ、前記第２脚部が前記主軸に対して摺動可能であるとともに、前記支持部が前記主軸に対して回転可能な状態、及び、
前記第２脚部及び前記支持部の前記主軸に対する回転が抑止され、かつ、前記第２脚部の前記主軸に対する摺動が抑止された状態
を取りうることを特徴とするスタンド。
【請求項２】
前記主軸は、略円柱状であり、
前記第１脚部は、前記主軸の径方向に突出する第１板状部と、前記主軸が貫通する第１円筒部とを備え、
前記第２脚部は、前記主軸の径方向に突出する第２板状部と、前記主軸が貫通する第２円筒部とを備え、
前記支持部は、前記主軸の径方向に突出する支持用板状部と、前記支持用板状部の長手方向の一端側に、それぞれ、前記主軸が貫通する第１回転用板状部及び第２回転用板状部とを備え、
前記支持部回転抑止手段は、前記第２円筒部の前記第１回転用板状部に接する面と、前記第１回転用板状部の前記第２円筒部に接する面に、互いに嵌合可能に設けられた冠歯車で構成され、
前記脚部回転抑止手段は、前記主軸に設けられたスリットと、前記第２円筒部に設けられ、先端が前記スリットに差し込まれた状態、及び、差し込まれていない状態を取りうるピンとで構成され、
前記脚部摺動抑止手段は、前記主軸の端部に取り付けられる封止ピンで構成され、前記封止ピンが、前記冠歯車を嵌合した状態を維持するように固定される
ことを特徴とする請求項１に記載のスタンド。
【請求項３】
前記主軸の両端付近に、前記第１脚部、前記第２脚部及び前記支持部の組をそれぞれ備える
ことを特徴とする請求項１又は２に記載のスタンド。
【手続補正２】
【補正対象書類名】明細書
【補正対象項目名】０００７
【補正方法】変更
【補正の内容】
【０００７】
上述した目的を達成するために、この発明のスタンドは、主軸と、主軸に固定された第１脚部と、主軸を中心に回転可能、かつ、主軸に沿って摺動可能な第２脚部と、主軸を中心に回転可能な支持部と、支持部の回転を抑止する支持部回転抑止手段と、第２脚部の回転を抑止する脚部回転抑止手段と、第２脚部の摺動を抑止する脚部摺動抑止手段とを備えて構成される。そして、第２脚部及び支持部が、主軸に対して回転可能な状態、第２脚部の主軸に対する回転が抑止され、かつ、第２脚部が主軸に対して摺動可能であるとともに、支持部が主軸に対して回転可能な状態、及び、第２脚部及び支持部の主軸に対する回転が抑止され、かつ、第２脚部の主軸に対する摺動が抑止された状態を取りうる。